(57)【要約】【課題】２段階のズーム速度の切り替えが可能な操作部材を備え、低コストで小型化を実現した撮像装置を提供する。【解決手段】デジタルカメラ１は、撮影レンズの光軸に対して直交する軸を中心として回転可能に配置されたズームレバー６と、光軸と直交するように配置される回路基板２１と、回路基板２１に実装され、ズームレバー６の回転角度を検出する第１の検出手段２２及び第２の検出手段２３と、ズームレバー６と共に回転して第１の検出手段２２及び第２の検出手段２３のオン状態とオフ状態とを切り替える回転部材１４とを有し、制御部３０４が、第１の検出手段２２及び第２の検出手段のオン状態及びオフ状態に基づいてズーム速度を切り替える。【選択図】図２
2013042205.tif 000002
【特許請求の範囲】
【請求項１】
撮影レンズの光軸に対して直交する軸を中心として回転可能に配置された操作部材を有する撮像装置であって、
前記光軸と直交するように配置される回路基板と、
前記回路基板に実装され、前記操作部材の回転角度を検出する第１の検出手段及び第２の検出手段と、
前記操作部材と共に回転することによって前記第１の検出手段及び前記第２の検出手段のオン状態とオフ状態とを切り替える回転部材と、
前記第１の検出手段及び前記第２の検出手段のオン状態及びオフ状態に基づいてズーム速度を切り替える制御手段と、を備えることを特徴とする撮像装置。
【請求項２】
前記回路基板には前記回転部材が配置されるスリットが形成され、前記第１の検出手段は前記スリットの一方端に位置するように前記回路基板に実装され、前記第２の検出手段は前記スリットの他方端に位置するように前記回路基板に実装されることを特徴とする請求項１記載の撮像装置。
【請求項３】
前記第１の検出手段及び前記第２の検出手段は、フォトインタラプタ又はフォトリフレクタであることを特徴とする請求項１又は２に記載の撮像装置。
【請求項４】
前記第１の検出手段及び前記第２の検出手段は、前記第１の検出手段及び前記第２の検出手段の光路である前記フォトインタラプタ又はフォトリフレクタの光路が前記回転部材によって遮られるとオン状態となり、前記光路が前記回転部材によって遮られていない状態ではオフ状態となることを特徴とする請求項３記載の撮像装置。
【請求項５】
前記操作部材に対して操作力が加わらない状態において前記操作部材を停止位置に保持する付勢部材を有し、
前記回転部材は、２箇所に設けられた切り欠き部と、前記切り欠き部と前記回転部材の回転中心とを結ぶ線によって区画される第１の羽部及び第２の羽部と、を有し、
前記操作部材が前記停止位置にあるときに、前記第１の検出手段及び前記第２の検出手段は前記切り欠き部によってオフ状態にあり、
前記回転部材が前記停止位置から第１の方向に第１の回転角だけ回転したときに、前記第２の検出手段はオフ状態のまま、前記第１の検出手段は前記第１の羽部によってオン状態になり、前記回転部材が前記停止位置から前記第１の方向に前記第１の回転角より大きい第２の回転角だけ回転したときに、前記第１の検出手段は前記第１の羽部によってオン状態になり、前記第２の検出手段は前記第２の羽部によってオン状態になり、
前記回転部材が前記停止位置から前記第１の方向とは反対の第２の方向に前記第１の回転角だけ回転したときに、前記第１の検出手段はオフ状態のまま、前記第２の検出手段は前記第１の羽部によってオン状態になり、前記回転部材が前記停止位置から前記第２の方向に前記第２の回転角だけ回転したときに、前記第２の検出手段は前記第１の羽部によってオン状態になり、前記第１の検出手段は前記第２の羽部によってオン状態になることを特徴とする請求項４記載の撮像装置。
【請求項６】
前記制御手段は、前記操作部材の操作によって、前記回転部材を前記第１の方向に回転させたときに広角側から望遠側へのズーム動作を行い、前記回転部材を前記第２の方向に回転させたときに望遠側から広角側へのズーム動作を行うことを特徴とする請求項５記載の撮像装置。
【請求項７】
前記回転部材の回転角度が、前記第１の回転角以上、且つ、前記第２の回転角未満の場合のズーム速度が、前記第２の回転角以上の場合のズーム速度よりも遅いことを特徴とする請求項５又は６に記載の撮像装置。
【発明の詳細な説明】
【技術分野】
【０００１】
本発明は、ズーム手段を備える光学機器、デジタルカメラ、ビデオカメラ等の撮像装置に関し、特に２段階以上の変速が可能なズーム操作手段を有する撮像装置に関する。
【背景技術】
【０００２】
近年、所謂、デジタルカメラやデジタルビデオカメラに代表されるような撮像装置における高機能化の１つとして、ズーム性能のアップ、すなわち、ズーム倍率の高倍率化が進んでいる。このようなズーム倍率の高倍率化に伴い、高速でズーム操作を行いたい場合と、繊細にズーム量を調整したい場合の両方に対応することができるように、２段階以上のズーム速度の変速機構を備えるものが知られている。ここで、撮像装置に対しては、小型化や低コスト化の要求も強いため、ズーム速度の変速機構を搭載しながら、小型化や低コスト化という要求をも達成する必要がある。
【０００３】
撮像装置におけるズーム操作手段には様々な方式のものが知られている。例えば、撮影者が直感的に操作しやすい回転操作部材を用いたズーム操作方式では、回転操作部材の回転角度を検出する検出スイッチが用いられる。検出スイッチを用いて２段階のズーム速度を調整する場合、回転操作部材の回転角度に応じて切り換わる低速操作用スイッチと高速操作用スイッチとを用いる方法が知られている（特許文献１参照）。一方、検出スイッチを使用しない方式として、回路基板上にコードパターンを配線により形成し、導電性ブラシがコードパターンと接触することで回転操作部材の回転角度を検出し、回転角度に応じて低速ズームと高速ズームの制御を切り替える方式が知られている。
【先行技術文献】
【特許文献】
【０００４】
【特許文献１】特開２００８−１８６６５１号公報
【発明の概要】
【発明が解決しようとする課題】
【０００５】
しかしながら、上述した特許文献１に記載されている技術では、多数の検出スイッチを用いるために部品コストが高くなり、検出スイッチを実装する回路基板の面積が大きくなるために小型化が難しくなる。一方、検出スイッチを用いずにコードパターンと導電性ブラシを用いる方式では、コードパターンを形成するために回路基板の面積が大きくなり、また、コードパターン上や導電性ブラシに金メッキ処理を施す必要があるために部品コストが高くなる。
【０００６】
本発明は、２段階のズーム速度の切り替えが可能な操作部材を備え、低コストで小型化を実現した撮像装置を提供することを目的とする。
【課題を解決するための手段】
【０００７】
本発明に係る撮像装置は、撮影レンズの光軸に対して直交する軸を中心として回転可能に配置された操作部材を有する撮像装置であって、前記光軸と直交するように配置される回路基板と、前記回路基板に実装され、前記操作部材の回転角度を検出する第１の検出手段及び第２の検出手段と、前記操作部材と共に回転することによって前記第１の検出手段及び前記第２の検出手段のオン状態とオフ状態とを切り替える回転部材と、前記第１の検出手段及び前記第２の検出手段のオン状態及びオフ状態に基づいてズーム速度を切り替える制御手段と、を備えることを特徴とする。
【発明の効果】
【０００８】
本発明によれば、撮像装置の上面に配置される回路基板を削減することができ、少ない部品点数でズーム速度を２段階に切り替えるズーム操作を実現することができる。これにより、撮像装置の低コスト化と小型化とを実現することができる。
【図面の簡単な説明】
【０００９】
【図１】本発明の実施形態に係るデジタルカメラの外観を示す斜視図である。
【図２】図１のデジタルカメラにおける、ズームレバーを含む上部ユニットの構成を示す分解図である。
【図３】図１のデジタルカメラにおける、ズームレバー及びその近傍の構造を示す断面図である。
【図４】図１のデジタルカメラを構成する上部ユニットと回路基板とを示す正面図である。
【図５】図１のデジタルカメラにおける、回転板、第１の検出手段及び第２の検出手段の位置関係及び動作態様を示す図である。
【図６】図１のデジタルカメラにおける、ズームレバーの回転角によるズーム速度の２段切り替え制御を示すフローチャートである。
【図７】図１のデジタルカメラの制御系を示すブロック図である。
【発明を実施するための形態】
【００１０】
以下、本発明の実施の形態について、添付図面を参照して詳細に説明する。ここでは、撮像装置の一例として、所謂、コンパクトタイプのデジタルカメラを取り上げることとする。但し、本発明はこのような実施形態に限定されるものではない。
【００１１】
＜デジタルカメラの外観構成＞
図１は、本発明の実施形態に係るデジタルカメラの外観を示す斜視図である。デジタルカメラ１の本体（不図示）を覆うカバーは、被写体側の面（前面）と上面とを構成する前面外装カバー２と、撮影者側の面（背面）を構成する背面外装カバー３とを有している。
【００１２】
デジタルカメラ１の前面には、撮影レンズ（不図示）を内包するレンズ鏡筒７が配置されている。デジタルカメラ１の上部には、合焦開始及び撮影開始を指示するレリーズボタン４やデジタルカメラ１の電源のオン／オフを切り替える電源ボタン５等、各種の操作を行う部材が配置されている。レリーズボタン４は、押し込み方向に対して押し込み量に応じた２段階で操作を検出する２段スイッチ構造となっている。
【００１３】
デジタルカメラ１の上面には、撮影者が撮影画像の画角調整、すなわち、ズーム操作を行うための操作部材であるズームレバー６が配設されており、ズームレバー６は光軸に対して略直交する回転軸を中心として回転可能である。後述する制御部３０４（図７参照）が、ズームレバー６の回転操作の操作量（回転角度）を検出し、検出した操作量に応じてレンズ鏡筒７が内包する撮影レンズを光軸方向において進退させるズーム制御を行う。
【００１４】
また、デジタルカメラ１の上部には、撮影モードの切り替えに使用されるモードスイッチ８が設けられており、モードスイッチ８のスライド操作によって静止画撮影と動画撮影とが切り替わるようになっている。なお、レリーズボタン４やズームレバー６は、撮影者（操作者）がデジタルカメラ１を把持したときに人差し指で容易に操作できるようにデジタルカメラ１の上部に配置されることが望ましい。
【００１５】
＜ズームレバー及びその近傍の構造＞
図２は、デジタルカメラ１における、ズームレバー６を含む上部ユニットの構成を示す分解図であり、図３は、ズームレバー６及びその近傍の構造を示す断面図である。
【００１６】
上部ユニット９を構成する支持部材１０には、ズームレバー６の軸部（回転軸）を回転可能に挿通させる穴部１１が設けられている。ズームレバー６の軸部には貫通穴１７が設けられており、装飾用のキャップ４ａとボタン本体４ｂとで構成されているレリーズボタン４の軸部材４ｃが貫通穴１７に挿通される。レリーズボタン４をズームレバー６に対して組み立てる際に、コイルスプリング１８がレリーズボタン４とズームレバー６との間に挿入され、レリーズボタン４のボタン本体４ｂから延出された爪部４ｄがズームレバー６に固定される。
【００１７】
このような構成により、レリーズボタン４は、コイルスプリング１８の反発力で上方に押し上げられ、レリーズボタン４の爪部４ｄがズームレバー６に固定されることで、外れてしまうことが防止される。撮影者がレリーズボタン４を押下すると、レリーズボタン４は下方向に押し込まれ、レリーズボタン４を押下する力を取り除くと、レリーズボタン４は上方向へ押し上げられ、所定の位置で保持される。
【００１８】
支持部材１０には、ズームレバー６のボス１２を挿通させるための円弧状の穴部（以下「円弧状穴部」と記す）１３が設けられており、円弧状穴部１３の端部にズームレバー６のボス１２が突き当ることで、ズームレバー６の回転が規制される。また、円弧状穴部１３に挿通されたズームレバー６のボス１２は、板状の回転部材１４に対してビス１５で固定されている。よって、回転部材１４は、ズームレバー６の回転軸を回転軸としてズームレバー６と一緒にズームレバー６と同じ角度だけ回転する。
【００１９】
回転部材１４には、支持部材１０と同様に、ズームレバー６の軸部が挿通される穴部１６が設けられている。回転部材１４にはバネ掛け部１９が設けられており、バネ掛け部１９は、回転部材１４の回転面に対して略直角に折り曲げられている。円部２０ａと円部２０ａから延伸した２本の腕部２０ｂを有するコイルバネ２０が、円部２０ａが支持部材１０のボス（不図示）に挿通され、このボスに対してビスが嵌め込まれることにより、支持部材１０に固定されている。このとき、コイルバネ２０は、腕部２０ｂが支持部材１０に設けられた別の凸部（不図示）に当接すると共に、回転部材１４のバネ掛け部１９を挟持するように配設される。
【００２０】
ズームレバー６の回転操作によって回転部材１４が回転すると、回転部材１４に設けられたバネ掛け部１９に当接したコイルバネ２０の腕部２０ｂが変形する。この腕部２０ｂの変形がズームレバー６の回転操作に対する復帰力となる。つまり、コイルバネ２０はズームレバー６に対する付勢部材として機能し、撮影者がズームレバー６に加えた操作力である回転力を取り除くと、ズームレバー６はコイルバネ２０により発生している復帰力によって停止位置に戻される。
【００２１】
＜回路基板の配置＞
図４は、デジタルカメラ１を構成する上部ユニット９と回路基板とを示す正面図である。回路基板２１は、できるだけ基板面積を大きく取ることができるように、光軸に対して直交するように配置されている。回路基板２１には、デジタルカメラ１の動作制御や撮像信号処理等を行う各種の電子部品が実装される。
【００２２】
特に、本実施形態では、回路基板２１には、ズームレバー６の回転操作を検出する第１の検出手段２２及び第２の検出手段２３が実装されている。これら第１の検出手段２２及び第２の検出手段２３の回路基板２１への実装形態及び動作形態については、後に詳細に説明する。
【００２３】
レリーズボタン４の押し込み操作を検出する検出スイッチ２４は、回路基板２１の基板面に対して平行な方向の２段階の押し込み量を検出することができるように、回路基板２１に実装されている。回路基板２１には、複数のフレキシブル基板（不図示）が電気的に接続される。フレキシブル基板の例としては、デジタルカメラ１の背面に配置される各種操作部材を撮影者が操作したことを検出するスイッチ類を搭載したものや、撮像素子が実装され、回路基板２１との間で撮像信号のやり取りを行うものが挙げられる。また、その他のフレキシブル基板として、撮影画像を変倍するズームレンズやフォーカス調整用のフォーカスレンズを所望の位置に駆動するためのモータ及び各種の動作制御のための検出センサ類を回路基板２１に対して電気的に接続するもの等が挙げられる。
【００２４】
＜ズームレバーの回転を検出する機構の詳細＞
図５は、回転部材１４、第１の検出手段２２及び第２の検出手段２３の位置関係及び動作態様を示す図であり、図５（Ａ）〜（Ｃ）のそれぞれについて、模式図（i）、上面図（ii）、側面図（iii）が示されている。なお、図５（Ａ）に示した構成と図５（Ｂ），（Ｃ）に示した構成との対応は明確であるため、図５（Ｂ），（Ｃ）では参照符号の記載を省略している。
【００２５】
本実施形態では、第１の検出手段２２及び第２の検出手段２３として、発光部と受光部とが一定の間隔で離間して配置された構造を有するフォトインタラプタを用いることとする。なお、第１の検出手段２２及び第２の検出手段２３は、フォトインタラプタに限定されることなく、他のスイッチやフォトリフレクタ等を用いてもよい。
【００２６】
第１の検出手段２２と第２の検出手段２３とは、ズームレバー６の回転中心を通り、且つ、光軸と平行な軸に対して対称な位置に配置されている。図５（Ａ）〜（Ｃ）（iii）に示されるように、回転部材１４は、フォトインタラプタにおいて発光部と受光部（検出点２８，２９）との間に配置されている。そして、回転部材１４の構造及び回転動作にしたがって発光部と受光部とを結ぶ光路における光の透過／遮光を切り替えることで、第１の検出手段２２及び第２の検出手段２３のそれぞれのオン／オフを切り替える。本実施形態では、第１の検出手段２２及び第２の検出手段２３は、それぞれの光路において光が透過する状態でオフ状態にあるものとし、それぞれの光路において光が遮られている状態でオン状態にあるものとする。
【００２７】
図５（Ａ）〜（Ｃ）の（i）に示されるように、回転部材１４には２箇所の切り欠き部２５が設けられており、回転部材１４は、それぞれの切り欠き部２５と回転中心と結んだ線によって区画される第１の羽部２６と第２の羽部２７とによって構成されている。
【００２８】
図５（Ａ）の（i）に図示するように、第１の検出手段２２の検出点２８と回転部材１４の回転中心とを結ぶ線Ｌ１と、第１の検出手段２２側の切り欠き部２５に面した第１の羽部２６の側辺２６ａとの成す角を“θ１”とする。なお、第２の検出手段２３の検出点２９と回転部材１４の回転中心とを結ぶ線Ｌ２と、第２の検出手段２３側の切り欠き部２５に面した第１の羽部２６の側辺２６ｂとの成す角も“θ１”となる。
【００２９】
第１の検出手段２２の検出点２８と回転部材１４の回転中心とを結ぶ線Ｌ１と、第１の検出手段２２側の切り欠き部２５に面した第２の羽部２７の側辺２７ａとの成す角を“θ２”とする。なお、第２の検出手段２３の検出点２９と回転部材１４の回転中心とを結ぶ線Ｌ２と、第２の検出手段２３側の切り欠き部２５に面した第２の羽部２７の側辺２７ｂとの成す角も“θ２”となる。
【００３０】
本実施形態では、これらの角度θ１，θ２との間に、“θ２＞θ１”の関係が成立している。回転部材１４の切り欠き部２５の大きさは、回転部材１４の回転軸に対して平行に投影した場合に、第１の検出手段２２及び第２の検出手段２３を避けた大きさとなっている（図５（Ａ）〜（Ｃ）の（i）参照）。これにより、デジタルカメラ１に回路基板２１を組付けた状態で上部ユニット９をデジタルカメラ１の上方から組付けるときに、回転部材１４と第１の検出手段２２及び第２の検出手段２３とが干渉するのを防止することができる。
【００３１】
回路基板２１には、図５（Ａ）〜（Ｃ）の（iii）に示されるように、回転部材１４の回転時に回転部材１４と回路基板２１とが干渉するのを回避するためのスリット３０が設けられている。第１の検出手段２２はスリット３０の一方端に位置するように、回路基板２１に実装されている。第２の検出手段２３はスリット３０の他方端に位置するように、回路基板２１に実装されている。撮影者がズームレバー６を所定の角度だけ回転させた際に、回転部材１４の第１の羽部２６及び第２の羽部２７は、回路基板２１のスリット３０と第１の検出手段２２及び第２の検出手段２３のそれぞれのギャップ間（光路）とを干渉（接触）することなく通過する。
【００３２】
次に、撮影者によるズームレバー６の回転操作を、操作角度に応じて２段階に検出する仕組みについて説明する。図５（Ｂ）に示されるように、ズームレバー６を図５（Ａ）に示す停止位置から時計回り（第１の方向）に第１の回転角度として角度θ１だけ回転させると、回転部材１４の第１の羽部２６の側辺２６ａが第１の検出手段２２の検出点２８に到達し、第１の検出手段２２の光路が遮られる。これにより、第１の検出手段２２はオフ状態からオン状態に変わる。この状態では、第２の羽部２７の側辺２７ｂは第２の検出手段２３の検出点２９に到達していないので、第２の検出手段２３の光路は遮られておらず、第２の検出手段２３はオフ状態のままである。よって、第１の検出手段２２のみが回転部材１４の回転を検出したことになる。
【００３３】
次に、図５（Ｃ）に示されるように、ズームレバー６を図５（Ａ）に示す停止位置から時計回りに第２の回転角度として角度θ２だけ回転させると、回転部材１４の第２の羽部２７の側辺２７ｂが第２の検出手段２３の検出点２９に到達し、第２の検出手段２３の光路が遮られる。これにより、第２の検出手段２３はオフ状態からオン状態に変わる。このとき第１の羽部２６の側辺２６ａは、図５（Ｂ）に示す状態よりも時計回りに回転しているので、第１の羽部２６によって第１の検出手段２２の光路も遮られている。よって、第１の検出手段２２及び第２の検出手段２３の両方が回転部材１４を検出したことになる。
【００３４】
ズームレバー６を、時計回りとは反対の反時計回り（第２の方向）に回転させた場合も、上述した時計回りに回転させた場合と同様になる。すなわち、ズームレバー６を図５（Ａ）に示す停止位置から反時計回りに角度θ１だけ回転させると、回転部材１４の第１の羽部２６の側辺２６ｂが第２の検出手段２３の検出点に到達し、第２の検出手段２３の光路が遮られる。これにより、第２の検出手段２３はオフ状態からオン状態に変わる。このとき、第２の羽部２７の側辺２７ａは第１の検出手段２２の検出点２８に到達していないので、第１の検出手段２２の光路は遮られず、第１の検出手段２２はオフ状態のままである。よって、第２の検出手段２３のみが回転部材１４を検出したことになる。
【００３５】
ズームレバー６を図５（Ａ）に示す停止位置から反時計回りに角度θ２だけ回転させた場合、回転部材１４の第２の羽部２７の側辺２７ａが第１の検出手段２２の検出点に到達し、第１の検出手段２２の光路が遮られる。これにより、第１の検出手段２２はオフ状態からオン状態に変わる。このとき、第１の羽部２６の側辺２６ｂは、反時計回りに回転しているので、第１の羽部２６によって第２の検出手段２３の光路も遮られている。よって、第２の検出手段２３及び第１の検出手段２２の両方が回転部材１４を検出したことになる。
【００３６】
このように、ズームレバー６の回転角の大きさの違いによって、回転部材１４が第１の検出手段２２及び第２の検出手段２３のオン／オフの状態を切り替える構成を利用して、ズーム速度の２段切り替え制御を行う。
【００３７】
＜ズーム速度の切り替え制御フロー＞
図６は、ズームレバー６の回転角によるズーム速度の２段切り替え制御を示すフローチャートである。また、図７は、デジタルカメラ１の制御系を示すブロック図、すなわち、図６のフローチャートに示される制御を行う制御系のブロック図である。
【００３８】
図７に示されるように、デジタルカメラ１は、撮影部３０１、画像処理部３０２、記録部３０３、制御部３０４、操作部３０５及び表示部３０６を備えている。撮影部３０１には、撮影レンズ、撮影レンズを保持するレンズ鏡筒７、撮影レンズにより結像された被写体像を光電変換する撮像素子、撮像素子の駆動回路、撮像素子から出力されるアナログ画像信号をデジタル画像信号に変換するＡ／Ｄ変換器等が含まれる。画像処理部３０２は、撮影部３０１から出力されるデジタル画像信号に画像処理を施す。
【００３９】
制御部３０４は、デジタルカメラ１の全体的な制御を行う制御回路を有しており、ＣＰＵやＲＯＭ、ＲＡＭ等を含む。記録部３０３は、画像処理部３０２より画像処理されたデジタル画像信号を不図示の記録媒体に記録する処理を行う。操作部３０５は、撮影者がデジタルカメラ１を操作するためのボタン等の操作キーを含み、ズームレバー６も操作部３０５に含まれる。ズームレバー６の操作が制御部３０４によって検出されると、制御部３０４は、撮影部３０１が有するレンズ鏡筒７を駆動するズーム制御を行う。表示部３０６はＬＣＤ等を有し、撮影画像の再生やメニュー画面等を表示する。なお、表示部３０６が有するＬＣＤ等にタッチパネル機能を付加して、操作部３０５としても機能させることができる。
【００４０】
図６のフローチャートに示されるズーム速度の切り替え制御は、制御部３０４が有するＣＰＵがＲＯＭに保存されているプログラムをＲＡＭの作業領域に展開して実行することにより実行される。本実施形態では、ズームレバー６を時計回りに回転させると、広角側から望遠側へレンズ鏡筒７のズーム動作が行われ、ズームレバー６を反時計回りに回転させると、望遠側から広角側へレンズ鏡筒７のズーム動作が行われるものとする。
【００４１】
最初に、制御部３０４は、デジタルカメラ１（レンズ鏡筒７）がズーム動作中かを判定する（ステップＳ２０１）。ステップＳ２０１の判定は、撮影部３０１において実行されているレンズ鏡筒７の実際のズーム動作に基づいて判定することができる。
【００４２】
ズーム動作中ではない場合（Ｓ２０１：ＮＯ）、制御部３０４は、第１の検出手段２２がオン（ＯＮ）したかを判定する（ステップＳ２０２）。ステップＳ２０２において第１の検出手段２２がオンするときとは、既に説明した通り、回転部材１４の第１の羽部２６が第１の検出手段２２の光路を遮ったときである。また、ステップＳ２０２において第１の検出手段２２がオンするときとは、ズーム動作中ではないため、ズームレバー６が時計回りに角度θ１以上角度θ２未満（第１の回転角以上、第２の回転角未満）だけ回転したときである。
【００４３】
よって、第１の検出手段２２がオンした場合（Ｓ２０２：ＹＥＳ）、制御部３０４は、第１の速度で撮影レンズを広角側から望遠側にズーム動作させる制御を行い（ステップＳ２０３）、その後、処理をステップＳ２０１に戻す（リターン）。
【００４４】
第１の検出手段２２がオンしていない場合（Ｓ２０２：ＮＯ）、制御部３０４は、第２の検出手段２３がオンしたかを判定する（ステップＳ２０４）。ステップＳ２０４において第２の検出手段２３がオンするときとは、既に説明した通り、回転部材１４の第１の羽部２６が第２の検出手段２３の光路を遮ったときである。また、ステップＳ２０４において第２の検出手段２３がオンするときとは、ズーム動作中ではないため、ズームレバー６は反時計回りに角度θ１以上角度θ２未満だけ回転したときである。
【００４５】
よって、第２の検出手段２３がオンした場合（Ｓ２０４：ＹＥＳ）、制御部３０４は、第１の速度で撮影レンズを望遠側から広角側にズーム動作させる制御を行い（ステップＳ２０５）、その後、処理をステップＳ２０１に戻す（リターン）。第２の検出手段２３がオンしていない場合（Ｓ２０４：ＮＯ）、ズームレバー６は停止位置から動いていないことになるため、制御部３０４は、処理をステップＳ２０１に戻す（リターン）。
【００４６】
ステップＳ２０１でズーム動作中であると判定された場合（Ｓ２０１：ＹＥＳ）、制御部３０４は、動作中のズーム動作が広角側から望遠側への動作であるかを判定する（ステップＳ２０６）。ステップＳ２０６の判定は、撮影部３０１において実行されている撮影レンズの実際のズーム動作に基づいて判定することができる。広角側から望遠側へのズーム動作である場合（Ｓ２０６：ＹＥＳ）、制御部３０４は、第１の検出手段２２がオン状態であるかを判定する（ステップＳ２０７）。
【００４７】
ステップＳ２０７において第１の検出手段２２がオン状態ではない場合とは、一度、時計回りに角度θ１以上回転したズームレバー６が角度θ１未満に戻された場合である。よって、第１の検出手段２２がオン状態ではない場合（Ｓ２０７：ＮＯ）、制御部３０４は、ズーム動作を停止して（ステップＳ２０８）、その後、処理をステップＳ２０１に戻す（リターン）。一方、第１の検出手段２２がオン状態である場合（Ｓ２０７：ＹＥＳ）、制御部３０４は、第２の検出手段２３がオン状態であるかを判定する（ステップＳ２０８）。
【００４８】
ステップＳ２０９において第２の検出手段２３がオン状態ではない（オフ状態にある）場合とは、ズームレバー６の回転角度が時計回りに角度θ１以上θ２未満に維持されている場合である。よって、第２の検出手段２３がオン状態ではない場合（Ｓ２０９：ＮＯ）、制御部３０４は、広角側から望遠側へのズーム動作を第１の速度で行って、処理をステップＳ２０１に戻す。
【００４９】
ステップＳ２０９において第２の検出手段２３がオン状態である場合とは、広角側から望遠側へのズーム動作の制御が行われている状態において、ズームレバー６の回転角度が時計回りに角度θ２以上（第２の回転角以上）となっている場合である。よって、第２の検出手段２３がオン状態である場合（Ｓ２０９：ＹＥＳ）、制御部３０４は、第１の速度よりも速い第２の速度で撮影レンズを広角側から望遠側にズーム動作させる制御を行い（ステップＳ２１０）、その後、処理をステップＳ２０１に戻す。
【００５０】
制御部３０４は、ステップＳ２０６で動作中のズーム動作が広角側から望遠側への制御ではない（つまり、広角側への制御である）と判断すると（Ｓ２０６：ＮＯ）、第２の検出手段２３がオン状態であるかを判定する（ステップＳ２１１）。第２の検出手段２３がオン状態ではない場合とは、一度、反時計回りに角度θ１以上回転したズームレバー６が角度θ１未満に戻された場合である。よって、第２の検出手段２３がオン状態ではない場合（Ｓ２１１：ＮＯ）、制御部３０４は、ズーム動作を停止して（ステップＳ２１２）、その後、処理をステップＳ２０１に戻す（リターン）。一方、第２の検出手段２３がオン状態である場合（Ｓ２１１：ＹＥＳ）、制御部３０４は、第１の検出手段２２がオン状態であるかを判定する（ステップＳ２１３）。
【００５１】
ステップＳ２１３において第１の検出手段２２がオン状態ではない場合とは、ズームレバー６の回転角度が反時計回りに角度θ１以上θ２未満に維持されている場合である。よって、第１の検出手段２２がオン状態ではない場合（Ｓ２１３：ＮＯ）、制御部３０４は、望遠側から広角側へのズーム動作を第１の速度で行って、処理をステップＳ２０１に戻す。
【００５２】
ステップＳ２１３において第１の検出手段２２がオン状態である場合とは、望遠側から広角側へのズーム動作の制御が行われている状態において、ズームレバー６の回転角度が反時計回りに角度θ２以上となっている場合である。よって、第１の検出手段２２がオン状態である場合（Ｓ２１３：ＹＥＳ）、制御部３０４は、第１の速度よりも速い第２の速度で撮影レンズを望遠側から広角側にズーム動作させる制御を行い（ステップＳ２１４）、その後、処理をステップＳ２０１に戻す。
【００５３】
以上説明したように、本実施形態では、ズームレバー６の停止位置を含む５つの位置を、第１の検出手段２２と第２の検出手段２３という２つの検出手段のみによって把握することができる。また、第１の検出手段２２と第２の検出手段２３を光軸に直交するようにデジタルカメラ１の正面に配置された回路基板２１に実装することで、デジタルカメラ１の上面に余分な回路基板を削減することができる。こうして、デジタルカメラ１の小型化を実現すると同時に、製品コストを低く抑える（製品コストの上昇を抑える）ことができる。
【００５４】
また、第１の検出手段２２と第２の検出手段２３とによってズームレバー６の位置を検出することにより、第１の速度での望遠側又は広角側へのズーム制御、第２の速度での望遠側又は広角側へのズーム制御およびズーム動作の停止制御を行うことができる。このとき、第２の速度を第１の速度よりも速い速度に設定することにより、即座に望遠側又は広角側にズームさせたいという撮影者の要望と、微妙なズーム量の調整を行いたいという撮影者の要望とを両立させることができる。
【００５５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５６】
例えば、本実施形態ではデジタルカメラについて説明したが、互いに異なる方向に操作されるレバーを備え、このレバーの操作量に応じて異なる信号を出力させるような構成を持った電子機器であれば同様に適用することができる。
【符号の説明】
【００５７】
１    デジタルカメラ本体
６    ズームレバー
１４    回転部材
２０    コイルバネ
２１    回路基板
２２    第１の検出手段
２３    第２の検出手段
２５    切り欠き部
２６    第１の羽部
２７    第２の羽部
３０    スリット
３０１    撮影部
３０４    制御部
【図１】
2013042205.tif 000003
【図２】
2013042205.tif 000004
【図３】
2013042205.tif 000005
【図４】
2013042205.tif 000006
【図５】
2013042205.tif 000007
【図６】
2013042205.tif 000008
【図７】
2013042205.tif 000009